(57)【要約】【課題】墨壺、カルコを用い、建物のコンクリート基礎の天端に、建物の土台を載置する位置を示す芯墨又は／及び面墨の墨出しを一人作業でも可能にする、建物のコンクリート基礎用墨出し補助具を提供する。【解決手段】コンクリート基礎の天端に、建物の土台を載置する位置を示す芯墨又は／及び面墨を墨出しするに際して用いられる墨出し補助具であって、板部と、前記板部に垂下する鈎部と、前記板部にスライド可能に設けられた固定具と、前記固定具で前記板部に固定されるストッパと、前記鈎部に固定される受部材とからなり、前記ストッパと前記受部材又は鈎部で前記コンクリート基礎を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具とした。【選択図】図３
2018003491.tif 000002
【特許請求の範囲】
【請求項１】
コンクリート基礎の天端に、建物の土台を載置する位置を示す芯墨又は／及び面墨を墨出しするに際して用いられる墨出し補助具であって、
板部と、前記板部に垂下する鈎部と、前記板部にスライド可能に設けられた固定具と、前記固定具で前記板部に固定されるストッパと、前記鈎部に固定される受部材とからなり、
前記ストッパと前記受部材又は鈎部で前記コンクリート基礎を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
【請求項２】
コンクリート基礎の天端に、建物の土台を載置する位置を示す芯墨又は／及び面墨を墨出しするに際して用いられる墨出し補助具であって、
手元側に長孔が穿設された板部と、前記板部の反手元側の先端に垂下する鈎部と、前記長孔にスライド可能に設けられた固定具と、前記固定具で前記板部に位置移動可能に固定されるストッパと、前記鈎部に固定される受部材とからなり、
前記ストッパと前記受部材又は鈎部で前記コンクリート基礎を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
【請求項３】
請求項２に記載の建物のコンクリート基礎用墨出し補助具が、コンクリート基礎のＴ字部用であることを特徴とする。
【請求項４】
コンクリート基礎の天端に、建物の土台を載置する位置を示す芯墨又は／及び面墨を墨出しするに際して用いられる墨出し補助具であって、
手元側に長孔が穿設された板部と、前記板部の反手元側の先端に直角に分岐連設された左右アームと、前記左右アームの先端に垂下する二枚の鈎部と、前記長孔にスライド可能に設けられた固定具と、前記固定具で前記板部に位置移動可能に固定されるストッパと、前記二枚の鈎部にそれぞれ固定される受部材とからなり、
前記ストッパと前記受部材又は鈎部で前記コンクリート基礎の出隅部を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
【請求項５】
前記鈎部の穴にビスを挿入し、前記鈎部に前記受部材として木片を固定したことを特徴とする請求項１−請求項４の何れか１項に記載の建物のコンクリート基礎用墨出し補助具。
【発明の詳細な説明】
【技術分野】
【０００１】
本発明は、墨壺、カルコを用い、建物のコンクリート基礎の天端に、建物の土台を載置する位置を示す芯墨又は／及び面墨の墨出しを一人作業でも可能にする、建物のコンクリート基礎用墨出し補助具に関する。
【背景技術】
【０００２】
建物の基礎は、コンクリートであり、建物の土台を載置する位置を示す芯墨（土台の中心で、基礎と土台を連結固定するアンカー位置を示す線）及び面墨（土台の側面の位置示す線）の墨出しのための墨壺、カルコを用いた場合、カルコの針がコンクリートに刺さらず、一人で作業することはできなかった。
【０００３】
他方、建物のコンクリート基礎用墨出し補助具として、特許文献１、２などがある。
特許文献１の発明は、 建築現場における施工精度のレベルアップをはかると共に、一人で測定可能なメジャテープの端部取付け具であって、 
コンクリート基礎打設用の仮枠１００上、又はコンクリート基礎上、又は横架材上に着脱可能に装着される本体部１０と、メジャテープ３０の初端部の取付け部２１を有すると共に、本体部１０に対して移動可能且つ当該移動位置において固定可能とされることによって、仮枠上方の水糸１３０又はコンクリート基礎上の内墨線、又は横架材の芯墨線で示される各基準位置に対応して取付け部２１を位置づけし得るようにした調整部材２０を備える。
【０００４】
特許文献２の発明は、取付け対象物が段差状の取付け面をなし、メジャテープの張り設空間に障害物がある場合にも、単独で辺長、対角長などの測定をなすことのできるメジャテープの端部取付け具であって、
コンクリート基礎、コンクリート基礎打設用仮枠、構造材としての横架材などの測定対象構成物Ｂに組み付け固定される下部フレーム１０と、この下部フレーム１０に対して、支柱手段３０を介して上下方向に移動可能に備えられる上部フレーム２０と、メジャテープの初端部の取付け手段５０を有すると共に、このメジャテープＭによる測定基準位置上に前記メジャテープＭの初端部の取付け手段５０を位置づけるように、前記上部フレーム２０に対して移動可能、且つ、当該移動位置において固定可能に備えられている基準点合わせ部材４０とを備える。
【０００５】
しかしながら、何れの従来技術は、複雑な構造で、従来の墨壺、カルコを用いた墨出しには用いられない。
【先行技術文献】
【特許文献】
【０００６】
【特許文献１】特開平７−２６０４８４号公報
【特許文献２】特開平９−１７０９０２号公報
【発明の概要】
【発明が解決しようとする課題】
【０００７】
そこで、本発明は、墨壺、カルコを用い、建物のコンクリート基礎の天端に、建物の土台を載置する位置を示す芯墨又は／及び面墨の墨出しを一人作業でも可能にする、建物のコンクリート基礎用墨出し補助具を提供することを目的とする。
【課題を解決するための手段】
【０００８】
本発明は、上記課題を解決するため、
（１）
コンクリート基礎の天端に、建物の土台を載置する位置を示す芯墨又は／及び面墨を墨出しするに際して用いられる墨出し補助具であって、
板部と、前記板部に垂下する鈎部と、前記板部にスライド可能に設けられた固定具と、前記固定具で前記板部に固定されるストッパと、前記鈎部に固定される受部材とからなり、
前記ストッパと前記受部材又は鈎部で前記コンクリート基礎を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
（２）
コンクリート基礎の天端に、建物の土台を載置する位置を示す芯墨又は／及び面墨を墨出しするに際して用いられる墨出し補助具であって、
手元側に長孔が穿設された板部と、前記板部の反手元側の先端に垂下する鈎部と、前記長孔にスライド可能に設けられた固定具と、前記固定具で前記板部に位置移動可能に固定されるストッパと、前記鈎部に固定される受部材とからなり、
前記ストッパと前記受部材又は鈎部で前記コンクリート基礎を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
（３）
（２）に記載の建物のコンクリート基礎用墨出し補助具が、コンクリート基礎のＴ字部用であることを特徴とする。
（４）
コンクリート基礎の天端に、建物の土台を載置する位置を示す芯墨又は／及び面墨を墨出しするに際して用いられる墨出し補助具であって、
手元側に長孔が穿設された板部と、前記板部の反手元側の先端に直角に分岐連設された左右アームと、前記左右アームの先端に垂下する二枚の鈎部と、前記長孔にスライド可能に設けられた固定具と、前記固定具で前記板部に位置移動可能に固定されるストッパと、前記二枚の鈎部にそれぞれ固定される受部材とからなり、
前記ストッパと前記受部材又は鈎部で前記コンクリート基礎の出隅部を挟んだうえで、前記受部材に墨壺から引き出される糸に結んだカルコの針を刺した状態で、前記糸を持ち上げ離すことで前記芯墨又は／及び面墨をマークすることを特徴とする建物のコンクリート基礎用墨出し補助具。
（５）
前記鈎部の穴にビスを挿入し、前記鈎部に前記受部材として木片を固定したことを特徴とする（１）−（４）の何れかに記載の建物のコンクリート基礎用墨出し補助具とした。
【発明の効果】
【０００９】
本発明は、上記構成であるので、墨壺、カルコを用いて、建物のコンクリート基礎の天端に、建物の土台を載置する位置を示す芯墨又は／及び面墨の墨出しを一人作業でも可能になり、建築人件費を下げることができるため、建物コストを下げることができる。実施例１であれば、コンクリート基礎のＴ字部に最適で、実施例２であればコンクリート基礎の出隅部に最適である。
【図面の簡単な説明】
【００１０】
【図１】本発明である建物のコンクリート基礎用墨出し補助具の第一の実施形態の（Ａ）平面図、（Ｂ）左側面図、（Ｃ）右側面図である。
【図２】本発明である建物のコンクリート基礎用墨出し補助具の第一の実施形態の（Ａ）正面図、（Ｂ）背面図、（Ｃ）底面図である。
【図３】本発明である建物のコンクリート基礎用墨出し補助具の第一の実施形態の使用説明図であり、（Ａ）が平面図、（Ｂ）が（Ａ）のＡ−Ａ断面図である。
【図４】本発明である建物のコンクリート基礎用墨出し補助具の第二の実施形態の（Ａ）平面図、（Ｂ）左側面図、（Ｃ）右側面図である。
【図５】本発明である建物のコンクリート基礎用墨出し補助具の第二の実施形態の（Ａ）正面図、（Ｂ）背面図、（Ｃ）底面図である。
【図６】本発明である建物のコンクリート基礎用墨出し補助具の第二の実施形態の使用説明図であり、（Ａ）が平面図、（Ｂ）がＡ−Ａの断面図である。
【発明を実施するための形態】
【００１１】
以下、添付図面に基づき、本発明の実施の形態について詳細に説明する。ただし、本発明はそれら実施形態に限定されるものではない。
【実施例１】
【００１２】
図１−３に示すように、本発明の第一の実施形態である建物のコンクリート基礎用墨出し補助具１は、コンクリート基礎２０の天端２０ａに、建物の土台を載置する（「曳く」ともいう）位置を示す芯墨２３又は／及び面墨２４を墨出しする（「マークする」、「打つ」ともいう）に際して用いられる墨出し補助具であって、板部２と、鈎部３と、固定具４と、ストッパ５と、ビス６と、受部材７とかなる。
【００１３】
板部２は、ここでは板２ａと手元側に穿設された長孔２ｂとからなり、鈎部３は、ここではビス６を通す穴３ａを備え、板部２の反手元側の先端に垂下連設し、コンクリート基礎２０の側面に位置する。すなわち、板２ａと鈎部３とは、ここでは側面視においてＬ字形状の板である。
【００１４】
固定部４は、ここでは、軸がストッパ５の穴５ａを通り、長孔２ｂに挿入されるボルト４ａと、ボルト４ａの軸に螺合する蝶ナット４ｂとからなり、蝶ナット４ｂをボルト４ａの軸に螺合（締結）させることで、固定具４、ストッパ５を板２ａに位置固定させることができ、固定具４は長孔２ｂにおいてスライド可能で、ストッパ５の固定位置を移動させることができる。
【００１５】
固定具４の固定位置を移動させることで、ストッパ５の固定位置を可変とすることができ、コンクリート基礎２０の異なる厚みに対応して、建物のコンクリート基礎用墨出し補助具１をコンクリート基礎２０に固定でき、汎用性がある。なお、ボルト４ａは板２ａの底面側に頭を位置させ、蝶ナット４ｂは板２ａの平面側に位置させることで、固定具４の締結、弛緩操作がし易くなる。
【００１６】
ストッパ５は、穴５ａが穿設された面が板２ａに当接し、その面より垂下する面がコンクリート基礎２０に当接する側面視Ｌ字形板で、コンクリート基礎２０において、鈎部３が位置する側面と対向する側面に位置し、固定具４で板部２に位置移動可能に固定され、鈎部３とストッパ５でコンクリート基礎２０の側面を挟持する。その結果、建物のコンクリート基礎用墨出し補助具１をコンクリート基礎２０に挟着させることができる。
【００１７】
受部材７は、ここでは、鈎部３の手元側にビス６ｄで固定され、コンクリート基礎２０に当接する。受部材７にカルコの針を突き刺し、芯墨２３及び面墨２４を天端２０ａにマークする墨出しに用いられる。
【００１８】
なお、受部材７を鈎部３の反コンクリート基礎２０側に固定してもよい。そのときは、鈎部３又はビスがコンクリート基礎２０に当接する。また、受部材７は、カルコの針が突き刺されば特に素材は限定されないが、例えば、木片などが適当である。加えて、後述の受部材１７、１７ａの鈎部に対する取り付け位置、素材も、受部材７と同様である。
【００１９】
次に、建物のコンクリート基礎用墨出し補助具１の使用方法について、図３を参照して、より具体的に説明する。
【００２０】
先ず、建物のコンクリート基礎用墨出し補助具１の固定具４を緩め、コンクリート基礎２０側に固定された受部材７をコンクリート基礎２０の一側面に係止したうえで、ストッパ５をスライドさせ、受部材７とストッパ５でコンクリート基礎２０の内外側面を挟み、建物のコンクリート基礎用墨出し補助具１をコンクリート基礎２０に固定する。
【００２１】
そのうえで、受部材７に墨壺２２から引き出される糸２２ｂに結んだカルコ２２ａの針を刺した状態で、糸２２ｂを持ち上げ離すことで、芯墨２３及び面墨２４を天端２０ａにマークする。このようにすることで、カルコ２２ａの針がコンクリートに刺さらなくても、一人作業で墨出しをすることができる。
【００２２】
実施例１の形状であれば、図３に示すように、コンクリート基礎２０のＴ字部２０ｂに最適である。もちろん、出隅部２０ｃにおいても、二方向にから二回に分けて墨出しすれば使用できる。
【実施例２】
【００２３】
図４−６に示すように、本発明の第二の実施形態である建物のコンクリート基礎用墨出し補助具１１は、コンクリート基礎２０の天端２０ａに、建物の土台を載置する位置を示す芯墨又は／及び面墨を墨出しするに際して用いられる墨出し補助具であって、板部２と、左右アーム２ｄ、２ｃと、２枚の第一、第二鈎部１３、１４と、固定具４と、ストッパ５と、第一、第二鈎部に用いられるビス１６、１６ａと、第一、第二鈎部１３、１４にそれぞれ、固定される受部材１７、１７ａとかなり、墨出しに際して、出隅部２０ｃの角部に挟着させる。
【００２４】
以下、それぞれの部品、構成を詳しく説明するが、実施例１と同一のものについてはその説明を省略するので、実施例１を参照のこと。
【００２５】
左右アーム２ｃ、２ｄは、板部２の反手元側の先端に同一平面において直角に分岐連設され、板部２とともに平面視でＹ字形状の板を形成する。
【００２６】
二枚の鈎部である、第一、第二鈎部１３、１４は、ここでは、ビス１６、１６ａを通す穴１３ａ、１４ａをそれぞれに備え、左右アーム２ｃ、２ｄの先端にそれぞれ垂下連設し、コンクリート基礎２０の出隅部２０ｃの両側面にそれぞれ位置する。
【００２７】
二枚の鈎部にそれぞれ固定される受部材１７、１７ａは、ここでは、鈎部１３、１４の手元側にビス１６、１６ａで固定され、コンクリート基礎２０の出隅部２０ｃに当接する。
【００２８】
受部材１７、１７ａは、鈎部１３、１４に固定され、望ましくはそれぞれ接触して、出隅部２０ｃの外側に一致する直角形状を形成し、墨出しに際して、受部材１７、１７ａにカルコ２２ａの針を突き刺し、芯墨２３及び面墨２４を天端２０ａにマークする。
【００２９】
次に、建物のコンクリート基礎用墨出し補助具１１の使用方法について、図６を参照して、より具体的に説明する。
【００３０】
先ず、建物のコンクリート基礎用墨出し補助具１１の固定具４を緩め、コンクリート基礎２０側に固定された受部材１７、１７ａをコンクリート基礎２０の出隅部２０ｃの外側の両側面に係止したうえで、ストッパ５をスライドさせ、受部材１７、１７ａとストッパ５でコンクリート基礎２０の内外側面を挟み、建物のコンクリート基礎用墨出し補助具１１をコンクリート基礎２０に固定する。
【００３１】
そのうえで、受部材１７、１７ａに墨壺２２から引き出される糸２２ｂに結んだカルコ２２ａの針を刺した状態で、糸２２ｂを持ち上げ離すことで、芯墨２３及び面墨２４を天端２０ａにマークする。このようにすることで、カルコ２２ａの針がコンクリートに刺さらなくても、一人作業で墨出しをすることができる。
【００３２】
実施例２の形状であれば、図６に示すように、コンクリート基礎２０の出隅部２０ｃに最適である。もちろん、出隅部においても、二方向にから二回に分けて墨出しすれば使用できる。
【符号の説明】
【００３３】
１      建物のコンクリート基礎用墨出し補助具
２      板部
２ａ    板
２ｂ    長孔
２ｃ    左アーム
２ｄ    右アーム
３      鈎部
３ａ    穴
４      固定具
４ａ    ボルト
４ｂ    蝶ナット
５      ストッパ
５ａ    穴
６      ビス
７      受部材
１１    建物のコンクリート基礎用墨出し補助具
１３    第一鈎部
１３ａ  穴
１４    第二鈎部
１４ａ  穴
１６    第一ビス
１６ａ  第二ビス
１７    第一木片
１７ａ  第二木片
２０    コンクリート基礎
２０ａ  天端
２０ｂ  Ｔ字部
２０ｃ  出隅部
２２    墨壺
２２ａ  カルコ
２２ｂ  糸
２３    芯墨
２４    面墨
【図１】
2018003491.tif 000003
【図２】
2018003491.tif 000004
【図３】
2018003491.tif 000005
【図４】
2018003491.tif 000006
【図５】
2018003491.tif 000007
【図６】
2018003491.tif 000008